(57)【要約】【課題】装置の大型化を抑制するとともに製造コストの低減化を図ることのできる、トレイのローディング機構を提供する。【解決手段】ＣＤ等を載置可能なトレイ２と、モータ３と、このモータ３による回転運動を直線運動に変換しつつそれをトレイ２に伝達する伝達機構４とを備え、伝達機構４によってトレイ２を本体シャーシ１に対して進退させるためのものであって、モータ３が駆動されることによってトレイ２の進退方向と直交する方向に移動されるとともに、ＣＤ等の内容を読み取るための読取部５を支持しつつそれを上記移動にともなって上下方向に変位させるカムプレート６と、トレイ２の進退速度の変化を検出するための減速位置検出スイッチ７とをさらに備え、減速位置検出スイッチ７は、伝達機構４と離隔した、カムプレート６の移動直線上に配置され、かつカムプレート６の端部が当接することによってオン、オフ動作されるように構成されている。【選択図】　図１
2004118991.tif 000002
【特許請求の範囲】
【請求項１】
記録媒体を載置可能なトレイと、モータと、このモータによる回転運動を直線運動に変換しつつそれを上記トレイに伝達する伝達手段とを備え、上記伝達手段によって上記トレイをトレイ収納部に対して進退させるための、トレイのローディング機構であって、
上記モータが駆動されることによって上記トレイの進退方向と直交する方向に移動されるとともに、上記記録媒体の内容を読み取るための読取部を支持しつつそれを上記移動にともなって上下方向に変位させる支持プレートと、
上記トレイの進退速度の変化位置を検出するための検出手段とを備え、
上記検出手段は、上記伝達手段と離隔した、上記支持プレートの移動直線上に配置され、かつ上記支持プレートの端部が当接することによってオン、オフ動作されるように構成されたことを特徴とする、トレイのローディング機構。
【請求項２】
上記支持プレートには、上記トレイの片面に略蛇行するように形成された溝部に案内される突起が設けられており、
上記検出手段は、上記支持プレートの突起が上記トレイの進退にともなって上記トレイの溝部に案内される際、上記溝部の形状に基づいて上記支持プレートが上記トレイの進退方向と直交する方向に移動されることにより、オン、オフ動作される、請求項１に記載の、トレイのローディング機構。
【請求項３】
上記検出手段は、検出スイッチからなり、
上記検出スイッチは、上記モータが実装されかつ上記トレイ収納部の背面側に設けられた基板上に実装されている、請求項１または２に記載の、トレイのローディング機構。
【請求項４】
請求項１ないし３のいずれかに記載のトレイのローディング機構が備えられたことを特徴とする、記録媒体再生装置。
【発明の詳細な説明】
【０００１】
【発明の属する技術分野】
本発明は、記録媒体を載置可能なトレイをトレイ収納部に対して進退させるための、トレイのローディング機構に関する。
【０００２】
【従来の技術】
従来より、たとえばＣＤ（ｃｏｍｐａｃｔ　ｄｉｓｃ）やＤＶＤ（ｄｉｇｉｔａｌ　ｖｅｒｓａｔｉｌｅ　ｄｉｓｃ）等を再生するための再生装置では、トレイ収納部としての本体シャーシに対してトレイを進退させるためのローディング機構が設けられている（たとえば、特許文献１参照）。ユーザは、ＣＤ等を再生させる際、このローディング機構によってトレイを本体シャーシから出し入れし、ＣＤ等をトレイに載置したり、トレイからＣＤ等を取り除いたりする。
【０００３】
【特許文献１】
特開平３−１８９９５６号公報
【０００４】
再生装置は、種々の機能が搭載されているか否かによって、価格が異なる複数の機種が製作されている。たとえば比較的安価な機種では、トレイの本体シャーシからの進出速度および本体シャーシへの退入速度は、ほぼ一定とされていることが多い。これに対し、比較的高級な機種では、トレイの本体シャーシからの進出速度および本体シャーシへの退入速度に変化がつけられていることが多い。
【０００５】
たとえば、トレイは、本体シャーシから進出される場合、進出開始直後は低速で、次いで高速になり、トレイが十分進出した後の停止直前に再び低速で、というような工程で推移される。このようなトレイの進退制御によって、より高級感を醸し出すことができる。
【０００６】
ここで、上記トレイは、トレイの片面に形成されたラックと、本体シャーシに回転可能に支持された歯車（ピニオン）とによる、いわゆるラック＆ピニオン方式が採用されて本体シャーシに対して進退される。歯車は、本体シャーシに備えられたモータの回転駆動によって回転され、このモータは、たとえばマイクロコンピュータによって回転駆動される。そのため、上記したトレイの進退制御は、マイクロコンピュータによるモータの回転速度を、トレイが低速で進退する時間および高速で進退する時間に応じて変化させることによって行われる。
【０００７】
【発明が解決しようとする課題】
上記再生装置は、工場等において大量生産されるのであるが、上記した、トレイの低速および高速における進退時間に応じてモータの回転速度を変化させる進退制御では、たとえばトレイと本体シャーシとの摩擦力の変化によってトレイの進退速度が安定せず、たとえば進退速度の変化位置が早過ぎたリ、逆に遅過ぎたりすることがあり、最悪の場合、トレイが減速しないこともある。そのため、大量生産される全ての再生装置において、トレイの進退制御を均一にすることが困難であるといった問題点があった。
【０００８】
そこで、トレイの進退速度の変化位置を検出スイッチによって検出する方法が提案されている。すなわち、トレイの速度が減速から高速に移るとき、および高速から低速に移るときのトレイの位置を検出スイッチによって検出し、その出力に基づいて、トレイの低速および高速の進退制御を行う。この進退制御によれば、トレイの進退速度に関係なく、進退速度を変化させるべき適切な位置で確実にトレイの進退速度を変化させることができる。
【０００９】
ここで、上記再生装置では、トレイの進退は、上記したように、ラック＆ピニオン方式によって行われているため、上記歯車（ピニオン）やモータ等は、本体シャーシ内部であってトレイの進出方向側に設けられることが多い。歯車等が本体シャーシの奥行方向側にあると、歯車とラックとが歯合されなくなる可能性があるからである。
【００１０】
また、トレイの位置を検出しようとすれば、上記した検出スイッチも本体シャーシ内部であってトレイの進出方向側に配置する必要がある。しかしながら、この部分には、歯車等が設けられているため、さらに検出スイッチを配置しようとすると、その部分の面積が大になるとともに、装置の大型化を招く要因となる。また、検出スイッチのために、配線ケーブルを本体シャーシ内部の歯車等の近傍に別途引き回さなければならず、作業コストが増大するといった問題点もあった。
【００１１】
本発明は、このような事情のもとで考え出されたものであって、装置の大型化を抑制するとともに製作コストの低減化を図ることのできる、トレイのローディング機構を提供することを、その課題としている。
【００１２】
【発明の開示】
上記の課題を解決するため、本発明では、次の技術的手段を講じている。
【００１３】
本発明の第１の側面によって提供される、トレイのローディング機構は、記録媒体を載置可能なトレイと、モータと、このモータによる回転運動を直線運動に変換しつつそれを上記トレイに伝達する伝達手段とを備え、上記伝達手段によって上記トレイをトレイ収納部に対して進退させるための、トレイのローディング機構であって、上記モータが駆動されることによって上記トレイの進退方向と直交する方向に移動されるとともに、上記記録媒体の内容を読み取るための読取部を支持しつつそれを上記移動にともなって上下方向に変位させる支持プレートと、上記トレイの進退速度の変化位置を検出するための検出手段とを備え、上記検出手段は、上記伝達手段と離隔した、上記支持プレートの移動直線上に配置され、かつ上記支持プレートの端部が当接することによってオン、オフ動作されるように構成されたことを特徴としている。
【００１４】
好ましい実施の形態によれば、上記支持プレートには、上記トレイの片面に略蛇行するように形成された溝部に案内される突起が設けられており、上記検出手段は、上記支持プレートの突起が上記トレイの進退にともなって上記トレイの溝部に案内される際、上記溝部の形状に基づいて上記支持プレートが上記トレイの進退方向と直交する方向に移動されることにより、オン、オフ動作される。
【００１５】
他の好ましい実施の形態によれば、上記検出手段は、検出スイッチからなり、上記検出スイッチは、上記モータが実装されかつ上記トレイ収納部の背面側に設けられた基板上に実装されている。
【００１６】
本発明によれば、モータが回転駆動されることにより、その回転運動が伝達手段によって直線運動に変換され、トレイは、この直線運動によって本体シャーシ（トレイ収納部）に対して進退可能とされる。トレイが本体シャーシに収納されるときには、支持プレートが読取部を持ち上げる格好に支持することにより、読取部とトレイに載置されたＣＤ等とが接近して、読取部によって記録媒体（ＣＤ等）の内容が読み取られる。一方、トレイが外部に向けて進出されるときには、支持プレートが読取部を下げた位置に支持し、読取部とトレイとを離間させる。
【００１７】
このとき、支持プレートは、モータが回転駆動されることによって、トレイの進退方向と直交する方向に移動され、かつ支持プレートに形成された突起がトレイの案内溝に案内されることによって、上記直交する方向に微動する。検出スイッチは、伝達手段と離隔された、支持プレートの移動延長線上に配置されているため、この支持プレートの微動によって、支持プレートの端部が検出スイッチに当接し、それをオンする。この場合、上記検出スイッチがオンするタイミングを、トレイの進退速度が変化するタイミングに一致させるように、検出スイッチの配置位置および溝部の形状等を設定しておけば、トレイの進退速度を適切なタイミングで確実に変化させることができる。
【００１８】
検出スイッチは、伝達手段と離隔された、支持プレートの移動延長線上に配置されるので、従来のように、歯車等によって構成される伝達手段の近傍に設けられることがなく、たとえば、支持プレートの移動延長線上に配置された基板上に実装されればよい。そのため、伝達手段が設けられるスペースを広大化する必要がなく、装置の大型化を抑制することができる。また、検出スイッチが基板上に実装されておれば、基板のパターン上で回路を構成できるため、別途、配線ケーブルを引き回ししなくてもよく、作業コストの増大を抑制することができる。
【００１９】
本発明の第２の側面によって提供される、記録媒体再生装置は、本発明の第１の側面によって提供されるトレイのローディング機構が備えられたことを特徴としている。
【００２０】
この発明によれば、本発明の第１の側面によって提供されるトレイのローディング機構と同様の作用効果を奏するとともに、上記したトレイの進退動作が実行可能な、より高級感のある記録媒体再生装置を提供することができる。
【００２１】
本発明のその他の特徴および利点は、添付図面を参照して以下に行う詳細な説明によって、より明らかとなろう。
【００２２】
【発明の実施の形態】
以下、本発明の好ましい実施の形態を、図面を参照して具体的に説明する。
【００２３】
図１は、本発明の実施形態に係る、トレイのローディング機構の一部切欠平面透視図であり、図２は、図１に示すローディング機構の正面図であり、図３は、トレイを裏面側から見た斜視図であり、図４は、カムプレートおよびその周辺部品の斜視図である。
【００２４】
このローディング機構は、ＣＤ等の記録媒体を再生するための再生装置等に組み込まれて設けられている。このローディング機構は、トレイ収納部としての本体シャーシ１と、これに対して進退可能に支持され、ＣＤ等を載置可能なトレイ２とによって大略構成され、トレイ２を本体シャーシ１に対して進退させるためのものである。
【００２５】
本体シャーシ１は、モータ３と、このモータ３の回転運動を直線運動に変換しつつそれをトレイ２に伝達するための伝達機構４と、本体シャーシ１の内部に設けられ、ＣＤ等の内容を読み取るための読取部５（図４参照）と、読取部５を支持しつつそれを上下方向に変位させるカムプレート６と、トレイ２の進退速度の変化位置を検出するための減速位置検出スイッチ７とを備えている。なお、図１中、１ａは本体シャーシカバーを示す。
【００２６】
トレイ２は、平面視略矩形状に形成され、その一端部寄りの上面にＣＤ等を載置するための凹陥部２ａが形成されている。トレイ２の下面（裏面）には、図３に示すように、その長手方向の両側端、および短手方向の片側端に沿って枠片２ｂが形成されており、両側端の一方の枠片２ｂの内側近傍には、トレイ２の長手方向に沿って略波状に延び、後述する第４ギア１７と歯合されるラック２ｃが形成されている。
【００２７】
また、一方の枠片２ｂとは反対側の他方の枠片２ｂの近傍には、平面視略Ｌ字状の案内溝９が形成されている。この案内溝９は、略蛇行するように形成され、カムプレート６に設けられた突起２２（後述）を案内するためのものである。
【００２８】
案内溝９は、トレイ２の一端部近傍であって中央部分からその短手方向に沿って延びる第１溝部９ａと、この第１溝部９ａに連設され、斜め方向に折り曲げられて延びる第２溝部９ｂと、この第２溝部９ｂに連設され、トレイ２の長手方向に沿って延びる第３溝部９ｃと、この第３溝部９ｃに連設され、トレイ２の内側に向かって斜め方向に折り曲げられて延びる第４溝部９ｄと、この第４溝部９ｄに連設され、トレイ２の長手方向に沿って延びる第５溝部９ｅと、この第５溝部９ｅに連設され、トレイ２の外側に向かって斜め方向に折り曲げられて延びる第６溝部９ｆと、この第６溝部９ｆに連設され、トレイ２の長手方向に沿って延びる第７溝部９ｇと、この第７溝部９ｇに連設され、トレイ２の外側に向かって斜め方向に折り曲げられて延びる第８溝部９ｈと、この第８溝部９ｈに連設され、トレイ２の長手方向に沿って延びる第９溝部９ｉとによって構成されている。
【００２９】
モータ３は、図２に示すように、本体シャーシ１の一端部近傍であって、その下部に設けられた基板３１に実装された恰好で本体シャーシ１に設けられている。モータ３は、図示しないＣＰＵによってその軸心が回動可能に制御される。モータ３には、その回転力を、トレイ２に伝達するための伝達機構４が接続されている。
【００３０】
伝達機構４は、第１および第２プーリ１１，１２、ベルト１３、並びに第１ないし第５ギア１４〜１８によって概略構成されている（第５ギア１８は図２参照）。第１プーリ１１は、モータ３と同心円状に設けられている。また、モータ３の近傍には、第２プーリ１２が配置されており、第１プーリ１１および第２プーリ１２には、無端状のベルト１３が掛け渡されている。第２プーリ１２には、同心円状に第１ギア１４が固着されている。
【００３１】
第１ギア１４には、直径がそれより大とされた第２ギア１５が歯合されている。第２ギア１５には、同心円状であって、直径がそれより小とされた第３ギア１６および第５ギア１８が固着されている。すなわち、第２ギア１５、第３ギア１６および第５ギア１８は、３段ギアを構成している。
【００３２】
第３ギア１６には、直径がそれより大とされた第４ギア１７が歯合されている。第４ギア１７は、上記したトレイ２に形成されたラック２ｃに歯合されることにより、ラック＆ピニオンを構成し、トレイ２を進退させる。また、第４ギア１７は、トレイ２の収納時には、図１に示すように、未だラック２ｃには歯合されていない。
【００３３】
カムプレート６は、本体シャーシ１の短手方向（トレイ２の進退方向と直交する方向）に沿って移動自在に支持されており、モータ３が回転駆動されることにより、その回転力が第１および第２プーリ１１，１２、第１、第２および第５ギア１４，１５，１８を介して伝達され、移動される。また、カムプレート６は、読取部５を上下方向に変位させる機能をも有する（詳細は後述）。
【００３４】
カムプレート６は、図４に示すように、断面視略Ｌ字状に形成され、水平方向に延びかつ矩形状の水平面部１９と、その一端から直交方向に延びた略矩形状の垂直面部２０とを有している。
【００３５】
水平面部１９の一端部の中央には、上記第５ギア１８に歯合するラック２１が形成されている。水平面部１９の適所には、トレイ２の片面に形成された案内溝９に案内される突起２２が設けられている。
【００３６】
垂直面部２０には、略Ｚ字状のカム孔２３が形成されている。このカム孔２３には、読取部５を構成するスピンドルやサーボ（いずれも図示せず）を収納する内部ケース２５の一端部に設けられた突起２６が遊嵌されており、カムプレート６による本体シャーシ１の短手方向における移動にともなって、カム孔２３内を突起２６が移動されるようになっている。なお、読取部５の内部ケース２５は、突起２６が形成された一端部とは反対側の他端部において、本体シャーシ１に対して俯仰可能に支持されている。
【００３７】
これにより、カム孔２３の上部に突起２６が存在するときには（トレイ２の収納時）、内部ケース２５の一端部側が上昇し、読取部５がトレイ２に載置されたＣＤ等に接近してＣＤ等の内容が読取可能な状態とされる。一方、カム孔２３の下部に突起２６が存在するときには（トレイ２の進出時）、内部ケース２５の一端部側が下降し、読取部５がトレイ２に載置されたＣＤ等に離間した状態とされる。
【００３８】
また、垂直面部２０の下端には、後述する過進出防止スイッチ２８（図４参照）をオンするためのリブ２９が形成されている。
【００３９】
上述したように、本体シャーシ１の下部には、モータ３が実装された基板３１が設けられており、基板３１には、本実施形態の特徴である減速位置検出スイッチ７と、過進出防止スイッチ２８とが実装されている。
【００４０】
減速位置検出スイッチ７は、プッシュ式スイッチとされ、押下されない状態のときには、自動復帰するモーメンタリスイッチである。減速位置検出スイッチ７は、基板３１上であって、上記カムプレート６の移動延長線上に実装されている。すなわち、カムプレート６は、突起２２がトレイ２の案内溝９内を案内されることにより移動し、カムプレート６の端部が減速位置検出スイッチ７に当接することにより、それがオンするようになっている。
【００４１】
過進出防止スイッチ２８は、トレイ２が十分に外部に進出したときに、過度の進出を防止するためのものであり、本体シャーシ１の短手方向にスライドするスライドスイッチとされている。過進出防止スイッチ２８は、基板３１の裏面に実装されている。過進出防止スイッチ２８は、上記カムプレート６が移動するとき、図４に示すように、カムプレート６の垂直面部２０の下端に形成されたリブ２９によって当接されることによってスライドされてオンされる。
【００４２】
なお、図１および図２には示されていないが、本体シャーシ１の下面側には、図示しないＣＰＵが実装された制御基板が備えられており、この制御基板には、上記した基板３１がたとえばフレキシブルケーブルによって接続されている。そして、基板３１上に実装された減速位置検出スイッチ７、および過進出防止スイッチ２８の検出出力は、上記ＣＰＵに送られる。ＣＰＵは、この両スイッチ７，２８からの検出出力に基づいて、基板３１上に実装されたモータ３を駆動制御する。この場合、ＣＰＵは、モータの回転速度を高速および低速の２段階に切り替え可能とされる。
【００４３】
次に、上記記録媒体再生装置における動作を、図１、図２、図５ないし図９を参照して説明する。まず、トレイ２が本体シャーシ１から進出される場合の動作について説明する。なお、図５ないし図９では、伝達機構４の部分を省略している。
【００４４】
ユーザによって、トレイ２を本体シャーシ１から進出させるための操作が行われると、ＣＰＵはモータ３を回転駆動させる。このモータ３の回転にともなって、第１プーリ１１が図１における反時計周りに回転する。この第１プーリ１１の回転は、ベルト１３を介して第２プーリ１２に伝達され、第２プーリ１２も反時計周りに回転する。この第２プーリ１２の回転にともなって、第１ギア１４が回転し、これに歯合された第２ギア１５が図１における時計周りに回転する。そして、第２ギア１５の回転にともなって、同心円状の第３ギア１６および第５ギア１８が同方向に回転する。
【００４５】
第５ギア１８には、カムプレート６のラック２１が歯合されているため、第５ギア１８の時計回転周りの回転により、カムプレート６は、図５（ａ）　における左方向に移動する。これにともない、カムプレート６に形成された突起２２もトレイ２の案内溝９の第１溝部９ａに沿って図５（ａ）　における左方向に案内される。
【００４６】
モータ３の回転駆動が継続されると、第５ギア１８の回転によって、カムプレート６は、図６（ａ）　に示すように、さらに左方向に移動し、図示しないが第５ギア１８とカムプレート６のラック２１とは歯合が解除される。これとほぼ同時に、今度は、第３ギア１６に歯合されている第４ギア１７が本体シャーシ１の長手方向に沿って設けられたトレイ２のラック２ｃと歯合される。また、カムプレート６の突起２２は、図６（ａ）　に示すように、第２溝部９ｂを介して第３溝部９ｃに達する。これらにより、トレイ２は、進出方向（図６（ａ）　における下方向）に進退される。
【００４７】
また、カムプレート６は、図６（ｂ）　に示すように、その移動によって垂直面部２０のカム孔２３内に沿って内部ケース２５の突起２６が移動することにともない、内部ケース２５（読取部５）が下方へ移動される。これにより、読取部５は、トレイ２に載置されたＣＤ等と離間される。
【００４８】
さらに、図６に示す状態では、カムプレート６が移動されたことにより、基板３１に実装された減速位置検出スイッチ７がカムプレート６の端部によって押下され、オン状態となる（図６（ｂ）　の円内参照）。ＣＰＵは、この減速位置検出スイッチ７のオン状態を認識すると、モータ３の回転速度を高速から低速に切り換える。そのため、トレイ２は、低速度で進出する。なお、モータ３は、ＣＰＵによって、駆動当初は高速回転とされているが、案内溝９の第１溝部９ａおよび第２溝部９ｂの形状がトレイ２の長手方向に沿って形成されていないため、トレイ２は、高速には進退されない。
【００４９】
引き続き、ＣＰＵによって、モータ３が回転駆動されると、図７（ａ）　に示すように、カムプレート６の突起２２は、案内溝９の第３溝部９ｃを経て第４溝部９ｄに達する。ここで、第４溝部９ｄは、トレイ２の内側に向かって傾斜されているため、カムプレート６は、その分、図７（ａ）　における右方向に戻るように移動する。これにより、カムプレート６の端部が減速位置検出スイッチ７を押下しなくなり、それをオフ状態に戻す（図７（ｂ）　の円内参照）。ＣＰＵは、この減速位置検出スイッチ７の出力に基づいてモータ３を高速回転に戻す。そのため、トレイ２は、高速度で進出するようになる。
【００５０】
さらに、ＣＰＵによって、モータ３が回転駆動されると、図８（ａ）　に示すように、カムプレート６の突起２２は、案内溝９の第５溝部９ｅを経て第６溝部９ｆに達する。第６溝部９ｆは、トレイ２の外側に向かって斜め方向を向いているため、カムプレート６は、その分、図８（ａ）　における左方向に再び移動する。これにより、カムプレート６の端部が減速位置検出スイッチ７を再び押下することになり、減速位置検出スイッチ７はオン状態になる（図８（ｂ）　の円内参照）。ＣＰＵは、この減速位置検出スイッチ７の出力に基づいてモータ３の回転速度を低下させる。そのため、トレイ２は、再び、減速されて進出するようになる。
【００５１】
さらに、ＣＰＵによって、モータ３が回転駆動されると、図９（ａ）　に示すように、カムプレート６の突起２２は、案内溝９の第７溝部９ｇを経て第８溝部９ｈに達する。第８溝部９ｈは、第６溝部９ｆに比べてトレイ２の外側に向かってさらに斜め方向を向いているため、カムプレート６は、その分、図９（ａ）　における左方向にさらに移動する。これにより、図９（ｂ）　に示すように、カムプレート６の垂直面部２０の一端に形成されているリブ２９が過進出防止スイッチ２８をスライドさせることになり、過進出防止スイッチ２８はオン状態になる。ＣＰＵは、この過進出防止スイッチ２８の出力に基づいてモータ３の回転を停止させる。そのため、トレイ２は、それ以上進出されなくなる。
【００５２】
このように、本実施形態によれば、モータ３が回転駆動されることにより、その回転運動が伝達機構４によって直線運動に変換され、トレイ２は、この直線運動によって本体シャーシ１に対して進退される。トレイ２が本体シャーシ１に収納されたときには、カムプレート６が読取部５を持ち上げる格好に支持し、読取部５とトレイ２に載置されたＣＤ等とが接近され、読取部５によってＣＤ等の内容が読み取られる。一方、トレイ２が外部に向けて進出されるときには、カムプレート６が読取部５を下げた位置に支持し、読取部５とトレイ２とを離間させる。
【００５３】
このとき、カムプレート６は、モータ３が回転駆動されることによって、トレイ２の進退方向と直交する方向に移動され、かつカムプレート６に形成された突起２２がトレイ２の案内溝９に案内されることによって、直交する方向に微動する。減速位置検出スイッチ７は、伝達機構４と離隔された、カムプレート６の移動延長線上に配置されているため、このカムプレート６の微動によって、カムプレート６の端部が減速位置検出スイッチ７に当接し、それをオンする。この場合、減速位置検出スイッチ７がオンするタイミングを、トレイ２の進退速度が変化するタイミングに一致させるように、減速位置検出スイッチ７の配置位置および案内溝９の形状等が設定されているので、トレイ２の進退速度を適切なタイミングで確実に変化させることができる。
【００５４】
減速位置検出スイッチ７は、伝達機構４と離隔された、カムプレート６の移動延長線上に配置されるので、従来のように、第１ギア１４ないし第５ギア１８等によって構成される伝達機構４の近傍に設けられることがなく、たとえば、カムプレート６の移動延長線上に配置された基板３１に実装されればよい。したがって、伝達機構４が設けられるスペースを広大化する必要がなく、本体シャーシ１の大型化を抑制することができる。また、減速位置検出スイッチ７が基板３１上に実装されておれば、基板３１のパターン上で回路を構成できるため、別途、配線ケーブルを引き回ししなくてもよく、作業コストの増大を抑制することができる。
【００５５】
以上、トレイ２が本体シャーシ１から進出される場合の動作について説明したが、トレイ２が本体シャーシ１へ退入される場合は、上記した動作の反対の手順でトレイ２が退入される。すなわち、ＣＰＵは、モータ３の回転方向を、図１における時計周りに回転させ、これにより、カムプレート６が総じて右方向に移動し、トレイ２は退入方向（図１における上方向）に進退される。この場合も、トレイ２の進退開始直後、および停止直前は、進退速度が小となるように進退され、より高級感を醸し出すことができる。
【００５６】
もちろん、この発明の範囲は上述した実施の形態に限定されるものではない。たとえば、上記実施形態においては、記録媒体としてＣＤやＤＶＤ等を対象に説明したが、これらに限らず、ＭＤ（ｍｉｎｉ　ｄｉｓｋ）やＦＤ（ｆｌｏｐｐｙ　ｄｉｓｋ）、あるいはカセットテープ等が対象とされるローディング機構に適用されてもよい。また、減速位置検出スイッチ７、過進出防止スイッチ２８の構成は、上記実施形態に限るものではない。
【図面の簡単な説明】
【図１】本発明の一実施形態に係る、トレイのローディング機構を示す一部切欠平面透視図である。
【図２】図１に示すローディング機構の正面図である。
【図３】トレイを裏面側から見た斜視図である。
【図４】カムプレートおよびその周辺部品の斜視図である。
【図５】図１に示す記録媒体再生装置の動作を説明するための図である。
【図６】図１に示す記録媒体再生装置の動作を説明するための図である。
【図７】図１に示す記録媒体再生装置の動作を説明するための図である。
【図８】図１に示す記録媒体再生装置の動作を説明するための図である。
【図９】図１に示す記録媒体再生装置の動作を説明するための図である。
【符号の説明】
１　本体シャーシ
２　トレイ
３　モータ
４　伝達機構
５　読取部
６　カムプレート
７　減速位置検出スイッチ
９　案内溝
２２　突起
２８　過進出防止スイッチ
３１　基板
【図１】
2004118991.tif 000003
【図２】
2004118991.tif 000004
【図３】
2004118991.tif 000005
【図４】
2004118991.tif 000006
【図５】
2004118991.tif 000007
【図６】
2004118991.tif 000008
【図７】
2004118991.tif 000009
【図８】
2004118991.tif 000010
【図９】
2004118991.tif 000011